(57)【要約】【課題】視覚障害者や老人が携帯している受信機から同時に複数種類の音声メッセージをきき分けられるようにした音声誘導装置を提供する。【解決手段】外部から書込み可能な半導体レコーダーを含み，搬送波を消去した状態の電波を発信する適数個の送信機を，所定の場所に設置し，所持者が携帯する受信機には，送信機からの受信により位置案内と方向案内を音声で出力する音声誘導部を設ける。また，複数の送信機をその受信エリアが重複するように，かつ，遠近の距離を配して配置する。【特許請求の範囲】
【請求項１】
外部から書込み書換え可能な半導体レコーダーを含み，搬送波を消去した状態の電波を発信する適数個の送信機を，所定の場所に設置し，所持者が携帯する受信機には，送信機からの受信により位置案内と方向案内を音声で出力する音声誘導部を設けたことを特徴とする音声誘導装置。
【請求項２】
複数の送信機をその受信エリアが重複するように，かつ，遠近の距離を配して配置した請求項１に記載の音声誘導装置。
【請求項３】
送信機の電波形式がダブルサイドバンドである請求項１乃至請求項２に記載の音声誘導装置。
【発明の詳細な説明】
【０００１】
【発明の属する技術分野】
本発明は、視覚障害者や老人に音声メッセージによる位置案内と方向案内を行い，視覚障害者や老人が単独でも安全に目的の場所まで歩行できるようにした音声誘導装置に関するものである。
【０００２】
【従来の技術】
視覚障害者や老人が単独でも安全に目的の場所まで歩行できるようにするために，交差点，エレベーター付近，エスカレーター付近，トイレ付近というように，予め音声メッセージを受けられる場所を定め，その場所を含む２０〜３０ｍの狭い受信エリアを設定し，視覚障害者や老人が当該エリアに入ると携帯している受信機が送信機からの音声メッセージを受信するようにした装置が知られている。
【０００３】
上記の装置において，視覚障害者や老人に提供される音声メッセージは，聴取のための時間を考慮して比較的短い，かつ，当該エリアについてのきわめて限られた情報，例えば，交差点であれば，信号機作動状況の情報や交差点を直進及び右左折した場合の進行方向といったようにごく限られた情報に止まるのが普通である。
【０００４】
しかし，視覚障害者や老人の到達目標となり得る多数の施設等が密集している場合，例えば，取扱事務別に多数並んでいる役所の受付窓口のようにさほど距離を置かずに配置されている場合に，上記の装置でこれらの受付窓口の位置や方向についての情報を提供することは，事実上，携帯している受信機からの音声メッセージを視覚障害者や老人が長時間聴き続けられるという条件がない限り，きわめて難しい。同一周波数の電波で送信機から同時に複数種類の情報を受信機に送信すると，搬送波のために混信して視覚障害者や老人が提供される情報をきき分けることが出来なくなるからである。
【０００５】
【発明が解決しようとする課題】
そこで，本発明は，視覚障害者や老人が携帯している受信機から同時に複数種類の音声メッセージをきき分けられるようにした音声誘導装置を提供しようというものである。
【０００６】
【課題を解決するための手段】
そして，上記の目的を達成するための本発明の構成は次の通りである。即ち，本発明においては，同一周波数の信号を発信する複数の送信機を，受信エリアが重複するように配置することができるようにする。その際，送信機に改良を加えて，受信機が混信しないように搬送波を除去した形式の電波を発信するようにする。こうすることにより，例えば，役所の受付窓口ごとに，かつ，その送信エリアが重複するように送信機を設置すると，携帯している受信機から視覚障害者や老人は，受付窓口ごとに異なる音声メッセージを混信することなく聴くことができ，また，これら数種類の音声メッセージの音量等から受付窓口までの遠近とその方向をきき分けることができる。
【０００７】
より詳しくは，本発明は，外部から書込み書換え可能な半導体レコーダーを含み，搬送波を消去した状態の電波を発信する適数個の送信機を，所定の場所に設置し，所持者が携帯する受信機には，送信機からの受信により位置案内と方向案内を音声で出力する音声誘導部を設けたことを特徴とするものである。
【０００８】
本発明の実施に際して，複数の送信機をその受信エリアが重複するように，かつ，遠近の距離を配して配置することは，役所の同一フロアーに隣接して設けられた多数の受付窓口の位置や取扱事務を案内をする場合や，展示ブースが隣接して多数設けられている美術館や各種の展示会において隣接する展示ブースの位置や説明を行う場合等に，特に有効である。
【０００９】
複数の送信機をその受信エリアが重複するように，かつ，遠近の距離を配して配置すると，送信機は搬送波を除去した形式の電波を発信するので，視覚障害者や老人等の所持者が携帯する受信機に混信が生じないし，受信機の所持者は，受付窓口の遠近に応じて各受付窓口用の音声メッセージを遠く或いは近く聴くことができ，この遠近によって音声メッセージを聴いた窓口の方向と遠近を推測することができるのである。
【００１０】
尚，本発明の実施は，ダブルサイドバンド，シングルサイドバンド，インディペンデントサイドバンドのいずれでも可能である。
【００１１】
【発明の実施の形態】
以下、　図面を参照して，本発明の実施の一形態を説明する。
【００１２】
役所の受付窓口おける音声誘導を本発明を実施して行う場合を例として説明すると，まず，同一フロアーに隣接して設けられた多数の受付窓口の天井にそれぞれ送信機が設置される。送信機設置の際，すくなくとも２つ３つの送信機の受信エリアが来訪者が控える受付窓口前のフロアーで重複するように設置される。
【００１３】
設置される送信機を簡単に説明すると，送信機は，図１のブロック図に示した通り，外部録音入力端子を備えた半導体レコーダーを用いた録音再生回路からの再生信号を低周波非反転増幅回路，及び，低周波反転増幅回路を経て，デジタル変調回路によってダブルサイドバンド変調波とする。デジタル変調回路は，搬送波発信回路からのパルス化切換信号を受けて高速切換回路（デジタルスイッチ）で搬送波を除去したダブルサイドバンド変調波とする。このダブルサイドバンド変調波をフィルター回路でパルス切換信号の高調波成分を除去し，高周波増幅回路，高周波電力増幅回路，ローパスフィルター（ＬＰＦ）回路，整合回路を経て，空中線で示されるアンテナから所定の受信エリアに送信する。
【００１４】
上記の送信機は，それぞれ搬送波を消去した状態の被変調波を発信するが，メッセージの内容は送信機ごとに異なり，それぞれの受付窓口の取扱事務或いは窓口名称と受付窓口までの距離である。上記の送信機は，電波法の規制がない微弱な電波を発振する。
【００１５】
次に，視覚障害者や老人が所持携帯する受信機を簡単に説明すると，図２のブロック図に示した通り，高周波回路と低周波回路とから構成されている。送信機からの電波を空中線で示されるアンテナで受信すると，同調回路，水晶発振の局発振回路，及び，混合回路により周波数変換が行われ，フィルター回路，中間周波増幅回路，検波回路，低周波増幅回路，低周波電力増幅回路を経て音声メッセージがイヤホンーン或いはスピーカから所持者である視覚障害者や老人に伝えられる。検波回路からの信号で，同調回路，中間周波増幅回路はオートマチックゲインコントロール（ＡＧＣ）回路によって制御され，検波回路はビートフレーケンシーオシレータ（ＢＦＯ）によって復調される。
【００１６】
そこで，受信機を携帯した視覚障害者や老人が，役所の多数の受付窓口があるフロアーに入ると，受信機の所持者である視覚障害者や老人は，２，３の受付窓口についての音声メッセージを聴くことができる。聴くことができる２，３の音声メッセージは，最も近い受付窓口についての音声メッセージは強く，遠い受付窓口についての音声メッセージほど弱く聞こえる。受信機の所持者である視覚障害者や老人の目標とする受付窓口が最も近い受付窓口であるときはその強い音声メッセージの案内に従えば目標とする受付窓口に速やかにたどりつくことが出来る。もし，弱く聞こえる音声メッセージの受付窓口に行きたいときは，若干距離歩行すれば音声メッセージは強くなり，或いは弱くなるので行きたい受付窓口に近づいたのか遠ざかったのか知ることが出来る。そこで，行きたい受付窓口の音声メッセージの案内に従えば目標とする受付窓口にたどりつくことが出来る。
【００１７】
尚，上記の送信機に限らず，搬送波抑制形の送信機であれば本発明の実施は可能である。また，多種多様な音声メッセージを視覚障害者や老人に聴かせる必要がある場合には，上記のように複数の送信機のそれぞれの受信エリアを重複させることとなるが，トイレ，エレベーター，エスカレーター等への誘導のように単純な音声誘導の場合には，送信機の受信エリアを重複させる必要はなく，後者のような本発明の実施の形態も多数ある。
【００１８】
【発明の効果】
以上に説明したところから明らかな通り，本発明によれば、携帯している受信機から所持者である視覚障害者や老人が同時に複数種類の音声メッセージをきき分けることができ，視覚障害者や老人にきめ細かな情報を提供することができるので視覚障害者や老人が単独でも安全に目的の場所まで誘導することができる。また，構成が簡単であるから安価に提供できるし，道路の交差点，バスの停留所，駅の入口，駅の改札口，駅のホーム，階段，エスカレーター，エレベーター，トイレ，手すりの位置，銀行や役所等のカウンター案内等等，きわめて多方面に利用することができる。
【図面の簡単な説明】
【図１】本発明の実施に使用する送信機の一例のブロック図
【図２】本発明の実施に使用する受信機の一例のブロック図
【図１】
2004118565.tif 000002
【図２】
2004118565.tif 000003